(57)【要約】【課題】簡易な構成で部品が強固に固定された照明用光源を提供する。【解決手段】ＬＥＤランプ１００は、ＬＥＤモジュール１１０と、ＬＥＤモジュール１１０の光出射側に配置され、出射光の配光を制御する導光部１２１を備える導光部材１２０と、ＬＥＤモジュール１１０から出射され、導光部１２１を通過した光を通過させる第１開口部１３１ｂを有するフロントカバー１３０と、フロントカバー１３０に固定され、フロントカバー１３０とともにＬＥＤモジュール１１０を覆うように構成された筐体１５０とを備え、フロントカバー１３０は、導光部材１２０を囲むように構成されて、かつ、導光部１２１とＬＥＤモジュール１１０とが当接しないように導光部材１２０を保持する。【選択図】図３
2015090784.tif 000002
【特許請求の範囲】
【請求項１】
発光モジュールと、
前記発光モジュールの光出射側に配置され、出射光の配光を制御する導光部を備える導光部材と、
前記発光モジュールから出射され、前記導光部を通過した光を通過させる開口部を有するカバー部材と、
前記カバー部材に固定され、前記カバー部材とともに前記発光モジュールを覆うように構成された筐体とを備え、
前記カバー部材は、前記導光部材を囲むように構成されて、かつ、前記導光部と前記発光モジュールとが当接しないように前記導光部材を保持する
照明用光源。
【請求項２】
前記カバー部材の内面には、突起部が形成され、
前記カバー部材は、前記突起部が前記導光部材を係止することで、前記導光部材を保持する
請求項１に記載の照明用光源。
【請求項３】
前記導光部材は、さらに、主面を有する板状の板状部を備え、
前記導光部は、前記主面から前記発光モジュールに向かって延設され、
前記カバー部材は、前記突起部が前記板状部を係止することで、前記導光部材を保持する
請求項２に記載の照明用光源。
【請求項４】
前記板状部は、さらに、前記主面と異なる面であって、前記カバー部材の内面の一部に当接する当接面を有し、
前記カバー部材は、前記内面の一部と前記突起部とが前記板状部を挟むことで、前記導光部材を保持する
請求項３に記載の照明用光源。
【請求項５】
前記開口部は、環状のフランジ部を有し、
前記当接面は、前記フランジ部に当接し、
前記カバー部材は、前記フランジ部と前記突起部とが前記板状部を挟むことで、前記導光部材を保持する
請求項４に記載の照明用光源。
【請求項６】
前記板状部は、前記主面を囲むように構成された側周部を有し、
前記側周部は、前記当接面を有する段差部を有する
請求項５に記載の照明用光源。
【請求項７】
前記板状部は、円板状であり、
前記板状部の側面の一部は、第１平面であり、
前記カバー部材は、さらに、前記第１平面に当接する第２平面を有する
請求項３〜６のいずれか１項に記載の照明用光源。
【請求項８】
前記筐体は、側壁部と底部とを有する有底筒体であり、
前記底部は、螺合孔を有する接続部を備える
請求項１〜７のいずれか１項に記載の照明用光源。
【請求項９】
前記接続部は、前記底部から外方に向かって突出した筒体であり、
前記接続部の厚みは、前記底部に近づくほど大きくなる
請求項８に記載の照明用光源。
【請求項１０】
前記接続部は、前記底部から内方に向かって突出した筒体である
請求項８に記載の照明用光源。
【請求項１１】
前記カバー部材は、前記開口部と一体であり、前記開口部の開口より径が大きい開口を有する円錐台状の筒体部を備える
請求項１〜１０のいずれか１項に記載の照明用光源。
【発明の詳細な説明】
【技術分野】
【０００１】
本発明は、照明用光源に関する。
【背景技術】
【０００２】
ＬＥＤ（Ｌｉｇｈｔ  Ｅｍｉｔｔｉｎｇ  Ｄｉｏｄｅ）を用いた従来の照明用光源には、ＬＥＤからの出射光の配光制御を行うため、ＬＥＤからの光出射側にレンズ部を設けたものが知られている（特許文献１参照）。ＬＥＤからの出射光は、レンズ部を介して外部に放射される。
【０００３】
この種の照明用光源は、ＬＥＤの出射光の配光制御を行うレンズ部の他に、筐体と、当該筐体に取り付けられたＬＥＤモジュールと、筐体内に配置され、ＬＥＤを駆動させる駆動回路とを備える。
【０００４】
特許文献１に示す照明用光源では、レンズ部のレンズ（導光部）の底面がＬＥＤモジュールに当接することで、レンズとＬＥＤモジュールとの位置決め及び保持を行っている。しかしながら、レンズの底面がＬＥＤモジュールと当接することにより、レンズ又はＬＥＤモジュールに傷が付いてしまう恐れがある。
【０００５】
これに対して、ＬＥＤモジュールに孔を設け、レンズ部には、ＬＥＤモジュールに設けられた孔に挿入される脚部を設けることが考えられる。脚部が孔に挿入されることにより、ＬＥＤに対するレンズ部の位置決め及び保持を行うことができる。
【先行技術文献】
【特許文献】
【０００６】
【特許文献１】国際公開第２０１１／１５２０３８号
【発明の概要】
【発明が解決しようとする課題】
【０００７】
しかしながら、上記従来の照明用光源では、レンズ部に脚部を設ける必要があり、かつ、脚部が挿入される孔をＬＥＤモジュールに設けなければならない。このため、レンズ部の形状、及び、ＬＥＤモジュールの構成が複雑になり、コストが高くなる。
【０００８】
そこで、本発明は、簡易な構成で部品が強固に固定された照明用光源を提供する。
【課題を解決するための手段】
【０００９】
上記課題を解決するため、本発明の一態様に係る照明用光源は、発光モジュールと、前記発光モジュールの光出射側に配置され、出射光の配光を制御する導光部を備える導光部材と、前記発光モジュールから出射され、前記導光部を通過した光を通過させる開口部を有するカバー部材と、前記カバー部材に固定され、前記カバー部材とともに前記発光モジュールを覆うように構成された筐体とを備え、前記カバー部材は、前記導光部材を囲むように構成されて、かつ、前記導光部と前記発光モジュールとが当接しないように前記導光部材を保持する。
【００１０】
また、本発明の一態様に係る照明用光源では、前記カバー部材の内面には、突起部が形成され、前記カバー部材は、前記突起部が前記導光部材を係止することで、前記導光部材を保持してもよい。
【００１１】
また、本発明の一態様に係る照明用光源では、前記導光部材は、さらに、主面を有する板状の板状部を備え、前記導光部は、前記主面から前記発光モジュールに向かって延設され、前記カバー部材は、前記突起部が前記板状部を係止することで、前記導光部材を保持してもよい。
【００１２】
また、本発明の一態様に係る照明用光源では、前記板状部は、さらに、前記主面と異なる面であって、前記カバー部材の内面の一部に当接する当接面を有し、前記カバー部材は、前記内面の一部と前記突起部とが前記板状部を挟むことで、前記導光部材を保持してもよい。
【００１３】
また、本発明の一態様に係る照明用光源では、前記開口部は、環状のフランジ部を有し、前記当接面は、前記フランジ部に当接し、前記カバー部材は、前記フランジ部と前記突起部とが前記板状部を挟むことで、前記導光部材を保持してもよい。
【００１４】
また、本発明の一態様に係る照明用光源では、前記板状部は、前記主面を囲むように構成された側周部を有し、前記側周部は、前記当接面を有する段差部を有してもよい。
【００１５】
また、本発明の一態様に係る照明用光源では、前記板状部は、円板状であり、前記板状部の側面の一部は、第１平面であり、前記カバー部材は、さらに、前記第１平面に当接する第２平面を有してもよい。
【００１６】
また、本発明の一態様に係る照明用光源では、前記筐体は、側壁部と底部とを有する有底筒体であり、前記底部は、螺合孔を有する接続部を備えてもよい。
【００１７】
また、本発明の一態様に係る照明用光源では、前記接続部は、前記底部から外方に向かって突出した筒体であり、前記接続部の厚みは、前記底部に近づくほど大きくなってもよい。
【００１８】
また、本発明の一態様に係る照明用光源では、前記接続部は、前記底部から内方に向かって突出した筒体であってもよい。
【００１９】
また、本発明の一態様に係る照明用光源では、前記カバー部材は、前記開口部と一体であり、前記開口部の開口より径が大きい開口を有する円錐台状の筒体部を備えてもよい。
【発明の効果】
【００２０】
本発明によれば、簡易な構成で部品が強固に固定された照明用光源を提供することができる。
【図面の簡単な説明】
【００２１】
【図１】本発明の実施の形態１に係るＬＥＤランプの一例を示す概観斜視図である。
【図２】本発明の実施の形態１に係るＬＥＤランプの一例を示す分解斜視図である。
【図３】本発明の実施の形態１に係るＬＥＤランプの一例を示す断面斜視図である。
【図４Ａ】本発明の実施の形態１に係る導光部材の一例を示す平面図である。
【図４Ｂ】本発明の実施の形態１に係る導光部材の一例を示す側面図である。
【図４Ｃ】本発明の実施の形態１に係る導光部材の一例を示す断面図である。
【図５Ａ】本発明の実施の形態１に係るフロントカバーの一例を示す斜視図である。
【図５Ｂ】本発明の実施の形態１に係るフロントカバーの一例を示す断面図である。
【図６Ａ】本発明の実施の形態１に係る筐体の一例を示す側面図である。
【図６Ｂ】本発明の実施の形態１に係る筐体の一例を示す断面図である。
【図７】本発明の実施の形態１に係る導光部とＬＥＤモジュールとの位置関係を示す断面図である。
【図８】本発明の実施の形態１に係る導光部材とフロントカバーの突起部との位置関係を示す断面図である。
【図９Ａ】本発明の実施の形態１の変形例に係る筐体の一例を示す側面図である。
【図９Ｂ】本発明の実施の形態１の変形例に係る筐体の一例を示す断面図である。
【図１０】本発明の実施の形態２に係る照明装置の一例を示す概観斜視図である。
【図１１】本発明の実施の形態２に係る照明装置の一部を示す分解斜視図である。
【図１２】本発明の実施の形態２に係る照明装置におけるＬＥＤランプの照射方向の一例を示す概観斜視図である。
【発明を実施するための形態】
【００２２】
以下では、本発明の実施の形態に係る照明用光源及び照明装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００２３】
また、各図は、模式図であり、必ずしも厳密に図示されたものではない。また、各図において、同じ構成部材については同じ符号を付している。
【００２４】
以下の実施の形態では、照明用光源の一例として、ＬＥＤランプについて説明する。
【００２５】
（実施の形態１）
本発明の実施の形態１に係る照明用光源は、発光モジュールと、発光モジュールの光出射側に配置され、出射光の配光を制御する導光部を備える導光部材と、発光モジュールから出射され、導光部を通過した光を通過させる開口部を有するカバー部材と、カバー部材に固定され、カバー部材とともに発光モジュールを覆うように構成された筐体とを備え、カバー部材は、導光部材を囲むように構成されて、かつ、導光部と発光モジュールとが当接しないように導光部材を保持する。
【００２６】
まず、本発明の実施の形態１に係るＬＥＤランプについて説明する。なお、本実施の形態に係るＬＥＤランプは、従来の電球形ランプに代替する照明用光源の一例である。
【００２７】
［ＬＥＤランプの全体構成］
まず、本実施の形態に係るＬＥＤランプの構成の一例について、図１及び図２を用いて説明する。図１は、本発明の実施の形態１に係るＬＥＤランプの一例を示す概観斜視図である。また、図２は、本発明の実施の形態１に係るＬＥＤランプの一例を示す分解斜視図である。
【００２８】
本実施の形態に係るＬＥＤランプ１００は、反射鏡付きハロゲン電球の代替品となる反射鏡付きハロゲン電球形のＬＥＤランプ（ＬＥＤ電球）である。図１及び図２に示すように、ＬＥＤランプ１００は、ＬＥＤモジュール１１０と、導光部材１２０と、フロントカバー１３０と、支持台１４０と、筐体１５０と、駆動回路（不図示）とを備える。
【００２９】
以下、ＬＥＤランプ１００の各構成部材及び接続形態などについて、図２を参照しながら、図３を用いて詳細に説明する。図３は、本発明の実施の形態に係るＬＥＤランプの一例を示す断面斜視図である。
【００３０】
［ＬＥＤモジュール］
ＬＥＤモジュール１１０は、発光素子を有する発光モジュールの一例であって、白色などの所定の色（波長）の光を放出する。図３に示すように、ＬＥＤモジュール１１０は、支持台１４０に戴置されており、筐体１５０に収納された駆動回路（図示せず）から供給される電力によって発光する。
【００３１】
図２及び図３に示すように、ＬＥＤモジュール１１０は、基台１１１と、基台１１１に実装された複数のＬＥＤ素子１１２とを備える。本実施の形態では、図２に示すように、３つのＬＥＤ素子１１２を用いている。
【００３２】
基台１１１は、ＬＥＤ素子１１２を実装するためのＬＥＤ実装基板である。基台１１１は、例えば、アルミナなどのセラミックスからなるセラミックス基板、樹脂からなる樹脂基板、又は、金属をベースとして絶縁被覆されたメタルベース基板などである。
【００３３】
基台１１１としては、例えば、図２に示すように、平面視形状が略円形の板状基板を用いることができる。なお、基台１１１としては、平面視形状が略矩形の板状基板を用いてもよい。また、基台１１１は、熱伝導率の高い材料によって構成することが好ましい。
【００３４】
また、図示しないが、基台１１１の表面には、複数のＬＥＤ素子１１２を電気的に接続するための金属配線がパターニングされている。さらに、基台１１１には、金属配線に接続された一対の電極端子（給電端子）が形成されている。一対の電極端子は、一対のリード線などによって駆動回路と電気的に接続されており、ＬＥＤ素子１１２に供給する直流電力を受ける。
【００３５】
ＬＥＤ素子１１２は、パッケージ化されたＳＭＤ（Ｓｕｒｆａｃｅ  Ｍｏｕｎｔ  Ｄｅｖｉｃｅ）型のＬＥＤ素子である。ＬＥＤ素子１１２は、例えば、凹部を有する容器と、凹部の中に実装されたＬＥＤチップと、凹部内に封入された封止部材とを備える。
【００３６】
ＬＥＤチップは、所定の電力により発光する半導体発光素子であって、単色の可視光を発するベアチップである。本実施の形態では、通電されれば青色光を発する青色ＬＥＤチップを用いている。青色ＬＥＤチップは、例えば、サファイア基板上にＩｎＧａＮ系の材料からなる半導体層を形成することによって構成された半導体発光素子である。具体的には、青色ＬＥＤチップとしては、中心波長が４４０ｎｍ〜４７０ｎｍの窒化ガリウム系の半導体発光素子を用いることができる。
【００３７】
封止部材は、例えば、樹脂からなり、ＬＥＤチップを封止するように形成される。封止部材は、例えば、ＬＥＤチップを覆うように半円球状又はドーム状に形成される。なお、封止部材は、容器からはみ出さないように表面がフラット状となるように形成してもよい。
【００３８】
封止部材は、主として透光性材料から構成される。このとき、ＬＥＤチップの光の波長を所定の波長に変換する必要がある場合には、波長変換材が透光性材料に混入される。本実施の形態における封止部材は、波長変換材として蛍光体を含み、ＬＥＤチップが発する光の波長（色）を変換する波長変換部材である。このような封止部材としては、例えば、蛍光体粒子を含有する絶縁性の樹脂材料（蛍光体含有樹脂）を用いることができる。蛍光体粒子は、ＬＥＤチップが発する光によって励起されて所望の色（波長）の光を放射する。
【００３９】
封止部材を構成する透光性樹脂材料としては、例えば、シリコーン樹脂を用いることができる。また、封止部材に含有させる蛍光体粒子としては、例えば、ＬＥＤチップが青色ＬＥＤチップである場合、白色光を得るために、例えば、ＹＡＧ（イットリウム・アルミニウム・ガーネット）系の黄色蛍光体粒子を用いることができる。これにより、ＬＥＤチップが発した青色光の一部は、封止部材に含まれる黄色蛍光体粒子によって黄色光に波長変換される。そして、黄色蛍光体粒子に吸収されなかった青色光と、黄色蛍光体粒子によって波長変換された黄色光とが混ざって、封止部材から白色光が放射する。
【００４０】
以上のように、ＬＥＤモジュール１１０は、導光部材１２０と支持台１４０との間に配置される。ＬＥＤモジュール１１０は、例えば、モジュール保持部材（図示せず）が基台１１１を挟むことで、支持台１４０上に保持されている。
【００４１】
［導光部材］
導光部材１２０は、ＬＥＤモジュール１１０から出射する光を導光する部材である。本実施の形態における導光部材１２０は、ＬＥＤモジュール１１０の光を導光してランプ外部に放射させる。
【００４２】
導光部材１２０は、ＬＥＤモジュール１１０の光出射側に配置されており、透光性材料によって構成される。透光性材料としては、例えば、透光性樹脂材料又はガラス材料を用いることができる。具体的には、透光性材料を所定形状に加工成形することによって導光部材１２０を作製することができる。
【００４３】
図２及び図３に示すように、本実施の形態に係る導光部材１２０は、導光部１２１と、板状部１２２とを備える。
【００４４】
ここで、導光部材１２０の詳細な構成について、図２及び図３を参照しながら、図４Ａ〜図４Ｃを用いて説明する。図４Ａは、本発明の実施の形態１に係る導光部材の一例を示す平面図である。図４Ｂは、本発明の実施の形態１に係る導光部材の一例を示す側面図である。図４Ｃは、本発明の実施の形態１に係る導光部材の一例を示す断面図である。なお、図４Ｃは、導光部１２１の中心を通る断面であり、板状部１２２に直交する断面（図４Ａに示すＡ−Ａ断面）である。
【００４５】
図４Ｂ及び図４Ｃに示すように、導光部１２１には、凹部１２１ａが形成されている。また、板状部１２２は、第１主面１２３と、第２主面１２４と、側周部１２５とを備える。なお、板状部１２２の第２主面１２４は、ＬＥＤランプ１００の外郭の一部をなす。
【００４６】
導光部１２１は、ＬＥＤモジュール１１０からの出射光の配光を制御する。すなわち、導光部１２１は、出射光の配光特性を制御する。例えば、導光部１２１は、ＬＥＤモジュール１１０からの出射光を絞ることで、板状部１２２から所定の方向に光を放射させる。
【００４７】
導光部１２１は、板状部１２２の主面（第１主面１２３）からＬＥＤモジュール１１０に向かって延設されている。例えば、導光部１２１は、ＬＥＤ素子１１２からの光を板状部１２２に導光させるように構成されている。具体的には、導光部１２１は、一旦入射した光が外部（空気層）との境界面（導光部１２１の外面）に到達したときに、当該境界面で内部に反射するような形状で構成されている。つまり、導光部１２１の外面は、反射面である。このとき、導光部１２１に入射した光の一部は、漏れ光として導光部１２１の外部に出射する。
【００４８】
凹部１２１ａは、ＬＥＤ素子１１２を囲むように構成された円筒状の凹部である。図３に示すように、凹部１２１ａは、導光部１２１がＬＥＤ素子１１２を覆うように設けられている。これにより、ＬＥＤ素子１１２からの光を効率良く導光部１２１に入射させることができる。
【００４９】
導光部１２１は、ＬＥＤ素子１１２の個数に対応するように設けられている。本実施の形態では、図２及び図４Ａに示すように、３つのＬＥＤ素子１１２のそれぞれに対応するように、３つの導光部１２１が設けられている。なお、１つの導光部１２１に複数のＬＥＤ素子１１２を対応させてもよい。
【００５０】
板状部１２２は、ランプ外部との境界平面を構成する平面部であって、３つの導光部１２１を通過した光をランプ外部に放射する。つまり、板状部１２２は、ランプ外部に光を放射する光放射部の一例であり、第２主面１２４は、光放射面である。
【００５１】
板状部１２２は、板状である。本実施の形態においては、図４Ａに示すように、板状部１２２の上面視形状は、略円形である。すなわち、板状部１２２は、円板状である。
【００５２】
第１主面１２３は、板状部１２２の主面のうち、ＬＥＤモジュール１１０に面する主面である。第１主面１２３には、ＬＥＤモジュール１１０に向かって突出するように導光部１２１が設けられている。
【００５３】
第２主面１２４は、板状部１２２の主面のうち、ＬＥＤモジュール１１０と反対側の主面である。第２主面１２４は、光放射面であり、ＬＥＤランプ１００の外部に面している。すなわち、第２主面１２４は、ＬＥＤランプ１００の外部に露出している。
【００５４】
側周部１２５は、第１主面１２３及び第２主面１２４を囲むように構成されている。言い換えると、側周部１２５は、板状部１２２の側面に相当する部分である。また、側周部１２５は、段差部１２６を有する。
【００５５】
図４Ｂ及び図４Ｃに示すように、側周部１２５は、径大部１２５ａと、径大部１２５ａの径より小さい径小部１２５ｂとを備える。すなわち、径大部１２５ａと径小部１２５ｂとの径の差によって、側周部１２５には段差部１２６が形成されている。
【００５６】
なお、径大部１２５ａによって囲まれた面が第１主面１２３であり、径小部１２５ｂによって囲まれた面が第２主面１２４である。したがって、第２主面１２４は、第１主面１２３よりも小さくなる。
【００５７】
段差部１２６は、当接面１２６ａを有する。当接面１２６ａは、第１主面１２３と異なる面であって、フロントカバー１３０の内面の一部に当接する。具体的には、当接面１２６ａは、図４Ｂ及び図４Ｃに示すように、径大部１２５ａの上面（第１主面１２３に対向する面）である。
【００５８】
また、図４Ｂに示すように、側周部１２５には、第１平面１２７が設けられている。すなわち、板状部１２２の側面の一部は、第１平面１２７である。第１平面１２７は、フロントカバー１３０の第２平面１３６と当接する。
【００５９】
なお、図３に示すように、導光部材１２０は、フロントカバー１３０に保持されている。フロントカバー１３０が導光部材１２０を保持する方法については、後で詳しく説明する。
【００６０】
以上のように、導光部材１２０では、ＬＥＤモジュール１１０（ＬＥＤ素子１１２）から導光部１２１に入射した光が、導光部１２１の外面（外部との境界面）で内面反射を繰り返しながら板状部１２２に向かって進行する。当該光の多くは、板状部１２２（第２主面１２４）からランプ外部に出射し、残りは漏れ光として導光部１２１からランプ内部に出射される。
【００６１】
［フロントカバー］
フロントカバー１３０は、筐体１５０とともにＬＥＤモジュール１１０を覆うように、かつ、導光部材１２０を囲むように構成されたカバー部材の一例である。フロントカバー１３０は、導光部１２１とＬＥＤモジュール１１０とが当接しないように、導光部材１２０を保持する。フロントカバー１３０は、ＬＥＤランプ１００の外郭の一部をなす。
【００６２】
フロントカバー１３０は、例えば、遮光性材料から構成される。例えば、フロントカバー１３０として、ポリブチレンテレフタレート（ＰＢＴ）などの樹脂材料を用いることができる。例えば、フロントカバー１３０は、ＰＢＴなどの絶縁性樹脂材料などを用いて、樹脂成型によって一体成形されている。
【００６３】
図２及び図３に示すように、フロントカバー１３０は、カバー本体部１３１と、突起部１３４とを備える。カバー本体部１３１は、第１開口１３２と、第２開口１３３とを有する。
【００６４】
ここで、フロントカバー１３０の詳細な構成について、図２及び図３を参照しながら、図５Ａ及び図５Ｂを用いて説明する。図５Ａは、本発明の実施の形態１に係るフロントカバーの一例を示す斜視図である。また、図５Ｂは、本発明の実施の形態１に係るフロントカバーの一例を示す断面図である。
【００６５】
なお、図５Ｂは、ランプ軸を含む断面を示している。ランプ軸は、ＬＥＤランプ１００の中心軸である。具体的には、ＬＥＤランプ１００を平面視したときの円の中心を通る線である。例えば、中心軸は、第１開口１３２及び第２開口１３３の中心を通る線である。
【００６６】
図５Ａ及び図５Ｂに示すように、カバー本体部１３１は、筒体部１３１ａと、第１開口部１３１ｂと、第２開口部１３１ｃとを備える。カバー本体部１３１は、漏斗状（ラッパ状）であり、第１開口部１３１ｂの第１開口１３２が第２開口部１３１ｃの第２開口１３３より小さくなるように構成されている。なお、筒体部１３１ａと、第１開口部１３１ｂと、第２開口部１３１ｃとは、一体に形成されている。
【００６７】
筒体部１３１ａは、円錐台状の筒体である。具体的には、筒体部１３１ａは、第１開口部１３１ｂ側から第２開口部１３１ｃ側に向かって内径及び外径が漸次変化する略円筒部材によって構成されている。
【００６８】
第２開口部１３１ｃ側の筒体部１３１ａの外径は、フロントカバー１３０側の筐体１５０の外径に略等しい。例えば、第２開口部１３１ｃ側の筒体部１３１ａの外径は、第２開口部１３１ｃの外径より、筐体１５０の厚さ分だけ大きい。すなわち、図５Ｂに示すように、筒体部１３１ａと第２開口部１３１ｃとの間には段差が形成されている。
【００６９】
これにより、図３に示すように、当該段差の段差面（筒体部１３１ａの下側端面）が筐体１５０の端面と当接する。筐体１５０の端面が、筒体部１３１ａの下側端面に当接することにより、筐体１５０は、フロントカバー１３０を支持することができる。
【００７０】
また、筒体部１３１ａの内面には、突起部１３４が形成されている。突起部１３４が導光部材１２０を係止することで、フロントカバー１３０は、導光部材１２０を保持する。具体的には、図３に示すように、突起部１３４が板状部１２２を係止することで、フロントカバー１３０は、導光部材１２０を保持する。
【００７１】
第１開口部１３１ｂは、ランプ外部側の開口部である。第１開口部１３１ｂは、略円筒部材によって構成されている。第１開口部１３１ｂは、ＬＥＤモジュール１１０から出射され、導光部１２１を通過した光を通過させる。すなわち、ＬＥＤモジュール１１０から出射され、導光部１２１を通過した光は、第１開口部１３１ｂの第１開口１３２を通過する。
【００７２】
なお、第１開口１３２は、図２及び図３を参照して分かるように、導光部材１２０によって塞がれている。具体的には、第１開口部１３１ｂは、導光部材１２０の板状部１２２の側周部１２５と当接する。これにより、導光部材１２０は、第１開口１３２を塞いでいる。
【００７３】
第１開口部１３１ｂは、環状のフランジ部１３５を有する。フランジ部１３５は、導光部材１２０と当接する。フランジ部１３５と突起部１３４とが導光部材１２０の板状部１２２を挟み込むことで、フロントカバー１３０は、導光部材１２０を保持する。突起部１３４とフランジ部１３５とについては、後で詳しく説明する。
【００７４】
図５Ａ及び図５Ｂに示すように、第１開口部１３１ｂには、第２平面１３６が設けられている。第２平面１３６は、導光部材１２０の位置決めを行うために設けられた平面であり、導光部材１２０の第１平面１２７に当接する。
【００７５】
本実施の形態では、導光部材１２０及びフロントカバー１３０の平面視形状は、ともに略円形である。このため、導光部材１２０及びフロントカバー１３０は、ランプ軸を軸として回転自在となる。また、導光部材１２０は、ＬＥＤモジュール１１０と当接せず、フロントカバー１３０のみによって保持されている。
【００７６】
これに対して、本実施の形態では、第１平面１２７と第２平面１３６とが当接することで、ランプ軸を軸とする回転が抑制され、導光部材１２０の回転方向の位置決めが可能になる。これにより、予め定められた位置にＬＥＤモジュール１１０を配置することで、導光部１２１とＬＥＤ素子１１２との位置関係も定めることができる。
【００７７】
第２開口部１３１ｃは、筐体１５０側の開口部である。第２開口部１３１ｃは、内径及び外径が一定である略円筒部材によって構成されている。図３に示すように、第２開口部１３１ｃは、筐体１５０との接続部分であり、具体的には、第２開口部１３１ｃの外周面と筐体１５０の内周面とが面接触している。
【００７８】
第２開口部１３１ｃには、係止部１３７が設けられている。係止部１３７は、筐体１５０の係止部１５５に係止することで、第２開口部１３１ｃと筐体１５０とを固定する。具体的には、係止部１３７は、図５Ａ及び図５Ｂに示すように、穴部である。なお、穴部は、貫通孔、又は、凹部でもよい。
【００７９】
これに対して、筐体１５０の係止部１５５は、凸部である。穴部である係止部１３７に凸部である係止部１５５が挿入されることで、係止部１３７及び係止部１５５は、互いに係止する。
【００８０】
以上のように、フロントカバー１３０は、導光部材１２０を囲むように構成されて、かつ、導光部１２１とＬＥＤモジュール１１０とが当接しないように導光部材１２０を保持する。また、導光部材１２０は、第１開口１３２を有し、ＬＥＤモジュール１１０からの光を第１開口１３２からランプ外部に放射する。
【００８１】
［支持台］
支持台１４０（モジュールプレート）は、ＬＥＤモジュール１１０を支持する支持部材である。支持台１４０は、ＬＥＤモジュール１１０が戴置される平板部１４１と、平板部１４１に立設された側壁部１４２とを備える。図２及び図３に示すように、支持台１４０は、平板部１４１が底部であり、側壁部１４２が周部であるキャップ状部材である。支持台１４０は、図３に示すように、フロントカバー１３０の第２開口１３３を塞ぐように構成されている。
【００８２】
平板部１４１は、円板状であり、ランプ軸と直交する平面である主面を有する。平板部１４１のフロントカバー１３０側の主面は、ＬＥＤモジュール１１０が戴置される戴置面である。戴置面は、凹部のない平面のみで構成されている。これにより、支持台１４０を容易に加工することができるので、低コストで支持台１４０を作製することができる。
【００８３】
なお、図２に示すように、平板部１４１には、貫通孔が設けられている。例えば、筐体１５０側からフロントカバー１３０側に向かって（図２及び図３に示す上方向）、貫通孔をリード線が挿通される。リード線は、ＬＥＤモジュール１１０に電力を供給するためのケーブルの一例である。
【００８４】
側壁部１４２は、平板部１４１からＬＥＤモジュール１１０と反対側に向けて突出するように平板部１４１の周囲に設けられる。側壁部１４２には、図２に示すように段差が設けられている。
【００８５】
図３に示すように、側壁部１４２の外周面が筐体１５０の内周面に接することで、支持台１４０は、筐体１５０に接続される。これにより、支持台１４０に伝導したＬＥＤモジュール１１０の熱を筐体１５０に直接伝導させることができる。
【００８６】
このように、支持台１４０は、ＬＥＤモジュール１１０（ＬＥＤ素子１１２）で発生する熱を放熱させるための放熱部材（ヒートシンク）としても機能する。なお、効率良く熱伝導させるために、支持台１４０は、アルミニウム（Ａｌ）、銅（Ｃｕ）若しくは鉄（Ｆｅ）などを主成分とする金属材料、又は、熱伝導率の高い樹脂材料によって構成されることが好ましい。本実施の形態では、例えば、支持台１４０は、アルミニウムから構成される。
【００８７】
［筐体］
図３に示すように、筐体１５０は、支持台１４０を囲むように構成された有底筒状部材である。筐体１５０は、支持台１４０を介してＬＥＤモジュール１１０と熱的に接続されている。筐体１５０は、外郭部材（外郭筐体）であり、筐体１５０の外面はランプ外部（大気中）に露出している。具体的には、筐体１５０は、導光部材１２０の板状部１２２と、フロントカバー１３０とともにＬＥＤランプ１００の外郭をなす。
【００８８】
これにより、筐体１５０は、放熱器としても機能する。すなわち、筐体１５０は、支持台１４０を介して筐体１５０に伝導したＬＥＤモジュール１１０の熱をランプ外部に放熱させることができる。
【００８９】
また、筐体１５０には、フロントカバー１３０が固定されている。筐体１５０は、フロントカバー１３０とともにＬＥＤモジュール１１０を覆うように構成されている。言い換えると、筐体１５０は、フロントカバー１３０とともにＬＥＤモジュール１１０を覆うような形状である。
【００９０】
筐体１５０は、例えば、ＰＢＴなどの絶縁性樹脂材料などを用いて、樹脂成型によって一体成形されている。
【００９１】
図２及び図３に示すように、筐体１５０は、側壁部１５１と、底部１５２とを備える。底部１５２は、螺合孔１５４を有する接続部１５３を備える。また、筐体１５０は、内面に係止部１５５と、突起部１５６とを備える。
【００９２】
ここで、筐体１５０の詳細な構成について、図２及び図３を参照しながら、図６Ａ及び図６Ｂを用いて説明する。図６Ａは、本発明の実施の形態１に係る筐体の一例を示す側面図である。また、図６Ｂは、本発明の実施の形態１に係る筐体の一例を示す断面図である。なお、図６Ｂは、ランプ軸を含む断面を示している。
【００９３】
側壁部１５１は、底部１５２を囲むように構成された円筒である。側壁部１５１は、フロントカバー１３０及び支持台１４０を支持する。図６Ａ及び図６Ｂに示すように、側壁部１５１は、第１側壁部１５１ａと、第２側壁部１５１ｂとを備える。
【００９４】
第１側壁部１５１ａは、内径及び外径が一定である略円筒部材から構成される。図３に示すように、第１側壁部１５１ａは、フロントカバー１３０及び支持台１４０との接続部分である。第１側壁部１５１ａの内面は、第２開口部１３１ｃの外周面と面接触し、かつ、側壁部１４２の外周面と面接触する。
【００９５】
第１側壁部１５１ａは、支持台１４０によって開口が塞がれるように構成されている。すなわち、筐体１５０の第１側壁部１５１ａは、支持台１４０によって蓋されている。
【００９６】
また、第１側壁部１５１ａには、図２及び図６Ｂに示すように、係止部１５５が設けられている。係止部１５５は、凸部であり、フロントカバー１３０（第２開口部１３１ｃ）の穴部である係止部１３７に係止する。
【００９７】
具体的には、フロントカバー１３０を筐体１５０の上方（筐体１５０の開口側）から押し込んで、係止部１５５を係止部１３７に係止させることで、フロントカバー１３０を筐体１５０に固定することができる。このとき、フロントカバー１３０の挿入をスムーズに行うために、凸部である係止部１５５の上面には、傾斜が設けられている。
【００９８】
なお、第１側壁部１５１ａは、複数の係止部１５５を備えることが好ましい。このとき、複数の係止部１５５は、フロントカバー１３０の中心線を軸とする回転対称な位置に設けられることが好ましい。同様に、第２開口部１３１ｃも、複数の係止部１３７を備えることが好ましい。複数の係止部１３７はそれぞれ、複数の係止部１５５に対応する位置に設けられる。
【００９９】
これにより、筐体１５０は、複数箇所でフロントカバー１３０に係止することができるので、より強固にフロントカバー１３０を固定することができる。
【０１００】
第２側壁部１５１ｂは、底部１５２側から第１側壁部１５１ａ側に向かって内径及び外径が漸次変化する略円筒部材から構成されている。第２側壁部１５１ｂは、底部１５２に立設されている。また、図３及び図６Ｂに示すように、第２側壁部１５１ｂの内面には、複数の突起部１５６が設けられている。
【０１０１】
突起部１５６は、第２側壁部１５１ｂの内面から内方に向かって突出するようにリブ状に形成されている。また、突起部１５６は、段差状に形成されており、第１側壁部１５１ａ側に面する異なる２つの平面を有する。２つの平面のうち、より内面に近い平面には、図３に示すように、支持台１４０の側壁部１４２の開口部端縁が当接している。これにより、突起部１５６は、支持台１４０を支持する。
【０１０２】
なお、２つの平面のうち、より内面から遠い平面には、必要に応じて回路ホルダなどの他の部材が当接していてもよい。ＬＥＤランプ１００に回路ホルダなどの部材を設ける必要がない場合は、突起部１５６は、段差状に形成されなくてもよい。
【０１０３】
ここで、複数の突起部１５６は、第２側壁部１５１ｂの中心線を軸とする回転対称な位置に設けられることが好ましい。これにより、筐体１５０は、複数箇所で支持台１４０を支持することができるので、より強固に支持台１４０を保持することができる。
【０１０４】
底部１５２は、円板状である。図３及び図６Ｂに示すように、底部１５２は、接続部１５３を備える。
【０１０５】
接続部１５３は、底部１５２から外方に向かって突出した筒体である。接続部１５３の厚みは、底部１５２に近づくほど大きくなる。具体的には、接続部１５３の外径は、接続部１５３の側面視形状が裾広がり形状になるように、底部１５２に近づくにつれて漸次増加する。
【０１０６】
接続部１５３は、螺合孔１５４を有する。螺合孔１５４は、外部の接続部材と接続するためのネジ孔である。例えば、螺合孔１５４としては、Ｍ１０などのネジ形状を利用することができる。あるいは、Ｍ８又はＭ１２などのネジ形状を利用してもよい。
【０１０７】
螺合孔１５４を介して外部からケーブルなどが筐体１５０内部に挿通される。そして、挿通されたケーブルは、筐体１５０内に設けられた駆動回路に接続され、ＬＥＤモジュール１１０に電力を供給することができる。
【０１０８】
これにより、接続部１５３の厚みが大きくなるので、接続部１５３の機械的強度を高めることができる。具体的には、外部の接続部材を螺合孔１５４に螺合させる際に、接続部１５３が破損するのを抑制することができる。特に、接続部１５３を含む筐体１５０が樹脂である場合に有効である。また、接続部材が可動式である場合には、接続部１５３にかかる応力が大きくなるので、この場合も特に有効である。
【０１０９】
［導光部とＬＥＤモジュールとの位置関係］
続いて、導光部１２１とＬＥＤモジュール１１０との位置関係について、図７を用いて説明する。図７は、本発明の実施の形態１に係る導光部とＬＥＤモジュールとの位置関係を示す断面図である。なお、図７は、図３に示す断面において、ＬＥＤ素子１１２と導光部１２１とを含む領域を拡大した図である。
【０１１０】
ＬＥＤ素子１１２からの光を効率良くランプ外部に放射させるためには、ＬＥＤ素子１１２からの光をできるだけ多く導光部１２１に入射させることが好ましい。すなわち、ＬＥＤ素子１１２と導光部１２１とは、近接していることが好ましい。
【０１１１】
例えば、ＬＥＤ素子１１２は、導光部１２１によって覆われていればよい。具体的には、凹部１２１ａ内にＬＥＤ素子１１２が配置されるように、導光部１２１をＬＥＤモジュール１１０に当接させることで、ＬＥＤ素子１１２から出射された光の多くは、導光部１２１に入射される。
【０１１２】
しかしながら、導光部１２１がＬＥＤモジュール１１０に当接することで、ＬＥＤモジュール１１０及び導光部１２１に傷が発生する恐れがある。例えば、導光部１２１に傷が発生した場合は、漏れ光の量が増大し、ランプ外部に放射される光の量が少なくなる。
【０１１３】
これに対して、図７に示すように、導光部１２１は、ＬＥＤモジュール１１０に当接しない。具体的には、導光部１２１とＬＥＤモジュール１１０との間には、空隙が存在する。例えば、導光部１２１の最もＬＥＤ素子１１２に近接する部分、すなわち、凹部１２１ａを形成する部分と、ＬＥＤ素子１１２及びＬＥＤモジュール１１０との間に空隙が存在する。
【０１１４】
なお、導光部１２１の他のいかなる部分もＬＥＤモジュール１１０に接触しないことが好ましい。また、導光部１２１は、少なくともＬＥＤ素子１１２に接触しないことが好ましい。
【０１１５】
また、ＬＥＤ素子１１２の一部が凹部１２１ａ内に位置してもよい。これにより、ＬＥＤ素子１１２からの光を効率良く導光部１２１に入射することができる。導光部１２１とＬＥＤモジュール１１０との間の空隙の幅、すなわち、導光部１２１の先端（最もＬＥＤモジュール１１０に近い箇所）からＬＥＤモジュール１１０までの距離は、例えば、０．５〜１．０ｍｍである。
【０１１６】
このように、本実施の形態に係るＬＥＤランプ１００では、導光部１２１は、ＬＥＤモジュール１１０に当接しないので、傷の発生を抑制することができる。
【０１１７】
［導光部材とフロントカバーとの位置関係］
続いて、導光部材１２０とフロントカバー１３０との位置関係について、図８を用いて説明する。図８は、本発明の実施の形態１に係る導光部材とＬＥＤモジュールとの位置関係を示す断面図である。なお、図８は、図３に示す断面において、突起部１３４を含む領域を拡大した図である。
【０１１８】
図８に示すように、突起部１３４は、フロントカバー１３０の内面から突出するように設けられている。例えば、突起部１３４は、導光部材１２０の第１主面１２３の一部に当接する支持面１３４ａを有する。支持面１３４ａは、第１主面１２３の一部に当接することで、導光部材１２０を支持する。支持面１３４ａは、第１開口部１３１ｂの開口面（第１開口１３２）に平行な面である。
【０１１９】
また、突起部１３４は、傾斜面１３４ｂを有する。傾斜面１３４ｂは、第１開口部１３１ｂの開口面（第１開口１３２）に対して傾斜した面である。導光部材１２０をフランジ部１３５と支持面１３４ａとの間に挿入する際に、傾斜面１３４ｂによってスムーズに挿入することができる。なお、導光部材１２０の挿入方向は、フロントカバー１３０の第２開口１３３から第１開口１３２に向かう方向（図８における上方向）である。
【０１２０】
このように、板状部１２２の第１主面１２３を突起部１３４の支持面１３４ａが支持することで、フロントカバー１３０は、導光部材１２０を保持する。
【０１２１】
さらに、導光部材１２０は、フランジ部１３５と当接している。具体的には、径大部１２５ａと径小部１２５ｂとによって形成された段差部１２６と、フランジ部１３５とが当接している。より具体的には、段差部１２６の当接面１２６ａは、フランジ部１３５の第１フランジ面１３５ａに当接している。第１フランジ面１３５ａは、フロントカバー１３０の内面の一部であり、支持面１３４ａに対向する面である。第１フランジ面１３５ａと支持面１３４ａとが板状部１２２（径大部１２５ａ）を挟持することで、導光部材１２０は、フロントカバー１３０に保持されている。
【０１２２】
なお、導光部材１２０は、第１開口部１３１ｂを塞ぐようにフロントカバー１３０に保持されている。具体的には、径小部１２５ｂの側周面がフランジ部１３５の第２フランジ面１３５ｂに面接触している。例えば、フロントカバー１３０の上側端面と、導光部材１２０の第２主面１２４とは、面一になる。これにより、ランプ外部から異物などがランプ内部に侵入するのを抑制することができる。
【０１２３】
このように、フロントカバー１３０が導光部材１２０の板状部１２２を保持することで、導光部１２１がＬＥＤモジュール１１０に当接しないように、導光部１２１は中空に浮いた状態で保持される。また、突起部１３４とフランジ部１３５との間に板状部１２２を嵌め込むだけでよいので、簡易な構成で、かつ、強固にフロントカバー１３０と導光部材１２０とを固定することができる。なお、突起部１３４及びフランジ部１３５は、フロントカバー１３０とともに一体成形できるので、導光部材１２０を保持するための機構を容易に形成することができる。
【０１２４】
なお、例えば、フロントカバー１３０は、複数の突起部１３４を備えることが好ましい。また、より好ましくは、フロントカバー１３０は、３つ以上の突起部１３４を備えてもよい。このとき、複数の突起部１３４は、フロントカバー１３０の中心線を軸とする回転対称な位置に設けられることが好ましい。
【０１２５】
これにより、フロントカバー１３０は、複数箇所で導光部材１２０を支持することができるので、より強固に導光部材１２０を保持することができる。
【０１２６】
［まとめ］
以上のように、本実施の形態に係るＬＥＤランプ１００は、ＬＥＤモジュール１１０と、ＬＥＤモジュール１１０の光出射側に配置され、出射光の配光を制御する導光部１２１を備える導光部材１２０と、ＬＥＤモジュール１１０から出射され、導光部１２１を通過した光を通過させる第１開口部１３１ｂを有するフロントカバー１３０と、フロントカバー１３０に固定され、フロントカバー１３０とともにＬＥＤモジュール１１０を覆うように構成された筐体１５０とを備え、フロントカバー１３０は、導光部材１２０を囲むように構成されて、かつ、導光部１２１とＬＥＤモジュール１１０とが当接しないように導光部材１２０を保持する。
【０１２７】
これにより、導光部１２１がＬＥＤモジュール１１０と当接しないので、導光部１２１とＬＥＤモジュール１１０とが接触することによる破損を防止することができる。また、フロントカバー１３０が導光部材１２０を保持するので、導光部材１２０の位置決め用の加工をＬＥＤモジュール１１０に行う必要がないので、簡易な構成で導光部材１２０を保持することができる。このように、本実施の形態によれば、簡易な構成で部品が強固に固定されたＬＥＤランプ１００を提供することができる。
【０１２８】
また、フロントカバー１３０の内面には、突起部１３４が形成され、フロントカバー１３０は、突起部１３４が導光部材１２０を係止することで、導光部材１２０を保持する。
【０１２９】
これにより、フロントカバー１３０の内面に突起部１３４を設けるという簡易な構成で導光部材１２０を保持することができる。例えば、樹脂材料を用いた一体成形により、突起部１３４を有するフロントカバー１３０を容易に作製することができる。
【０１３０】
また、導光部材１２０は、さらに、第１主面１２３を有する板状の板状部１２２を備え、導光部１２１は、第１主面１２３からＬＥＤモジュール１１０に向かって延設され、フロントカバー１３０は、突起部１３４が板状部１２２を係止することで、導光部材１２０を保持する。
【０１３１】
これにより、突起部１３４が板状部１２２を係止するので、ランプ外部への光の取り出し効率の低下を抑制することができる。例えば、導光部１２１には、突起部１３４に係止するための形状を設けなくてよいので、導光部１２１の形状をＬＥＤ素子１１２からの光を効率良く板状部１２２へ導光させる形状にすることができる。したがって、ＬＥＤ素子１１２からの光を効率良く板状部１２２及びランプ外部に放射することができる。
【０１３２】
また、板状部１２２は、さらに、第１主面１２３と異なる面であって、フロントカバー１３０の内面の一部に当接する当接面１２６ａを有し、フロントカバー１３０は、内面の一部と突起部１３４とが板状部１２２を挟むことで、導光部材１２０を保持する。
【０１３３】
これにより、フロントカバー１３０の内面の一部と突起部１３４とが板状部１２２を挟むので、簡易な構成で、より強固に導光部材１２０を保持することができる。
【０１３４】
また、第１開口部１３１ｂは、環状のフランジ部１３５を有し、当接面１２６ａは、フランジ部１３５に当接し、フロントカバー１３０は、フランジ部１３５と突起部１３４とが板状部１２２を挟むことで、導光部材１２０を保持する。
【０１３５】
これにより、フランジ部１３５と突起部１３４とが板状部１２２を挟むので、簡易な構成で、より強固に導光部材１２０を保持することができる。例えば、樹脂材料を用いた一体成形により、フランジ部１３５及び突起部１３４を有するフロントカバー１３０を容易に作製することができる。
【０１３６】
また、板状部１２２は、第１主面１２３を囲むように構成された側周部１２５を有し、側周部１２５は、当接面１２６ａを有する段差部１２６を有する。
【０１３７】
これにより、側周部１２５が段差部１２６を有し、段差部１２６とフランジ部１３５とが当接するので、例えば、段差の高さとフランジ部１３５の厚みとを適切に調整することで、光放射面（板状部１２２の第２主面１２４）とフロントカバー１３０の端面（フランジ部１３５）とを面一にすることができる。
【０１３８】
また、板状部１２２は、円板状であり、板状部１２２の側面の一部は、第１平面１２７であり、フロントカバー１３０は、さらに、第１平面１２７に当接する第２平面１３６を有する。
【０１３９】
これにより、板状部１２２の側面の一部とフロントカバー１３０とのそれぞれが、互いに当接する平面を有するので、当該平面を利用して導光部材１２０の位置決めを行うことができる。つまり、第１平面１２７と第２平面１３６とが係止するので、導光部材１２０がフロントカバー１３０に対して回転するのが抑制され、導光部材１２０の位置決めを行うことができる。
【０１４０】
また、筐体１５０は、側壁部１５１と底部１５２とを有する有底筒体であり、底部１５２は、螺合孔１５４を有する接続部１５３を備える。
【０１４１】
これにより、筐体１５０が螺合孔１５４を有するので、所定の接続部材を螺合させることで、強固にＬＥＤランプ１００を固定させることができる。
【０１４２】
また、接続部１５３は、底部１５２から外方に向かって突出した筒体であり、接続部１５３の厚みは、底部１５２に近づくほど大きくなる。
【０１４３】
これにより、接続部１５３の厚みが底部１５２に近づくほど大きくなるので、接続部１５３の機械的強度を高めることができる。例えば、特に、接続部１５３を有する筐体１５０が樹脂である場合に有効である。また、螺合孔１５４に螺合させる接続部材が可動式である場合には、接続部１５３にかかる応力が大きくなるので、この場合も特に有効である。
【０１４４】
また、フロントカバー１３０は、第１開口部１３１ｂと一体であり、第１開口部１３１ｂの開口より径が大きい開口を有する円錐台状の筒体部１３１ａを備える。
【０１４５】
これにより、導光部材１２０の径と筐体１５０の径とが異なっている場合でも適切に導光部材１２０の保持と、ＬＥＤモジュール１１０の保護（ＬＥＤモジュール１１０を覆うこと）とを実現することができる。
【０１４６】
なお、本実施の形態では、ＬＥＤモジュール１１０を発光させるための駆動回路が、筐体１５０内に配置される例について説明したが、これに限らない。例えば、外部の装置に駆動回路を内蔵し、ＬＥＤランプ１００は、外部の装置からＬＥＤモジュール１１０を発光させるための電力を受け取ってもよい。
【０１４７】
（変形例）
以下では、本実施の形態の変形例に係るＬＥＤランプについて、図９Ａ及び図９Ｂを用いて説明する。図９Ａは、本実施の形態の変形例に係る筐体の一例を示す側面図である。図９Ｂは、本実施の形態の変形例に係る筐体の一例を示す断面図である。なお、図９Ｂは、ランプ軸を含む断面を示している。
【０１４８】
本実施の形態の変形例に係るＬＥＤランプは、ＬＥＤランプ１００と比較して、筐体１５０の代わりに筐体２５０を備える点が異なっている。具体的には、筐体の底部の形状が異なっている。以下では、実施の形態１と異なる点を中心に説明する。
【０１４９】
図９Ａ及び図９Ｂに示すように、筐体２５０は、側壁部１５１と、底部２５２とを備える。側壁部１５１は、実施の形態１と同様であるので、以下では説明を省略する。
【０１５０】
底部２５２は、円板状である。図９Ｂに示すように、底部２５２は、接続部２５３を備える。
【０１５１】
接続部２５３は、底部２５２から内方に向かって突出した筒体である。接続部２５３は、外径が均一の略円筒部材から構成されている。接続部２５３は、図９Ｂに示すように、螺合孔１５４を有する。接続部２５３の厚みを大きくすることで、接続部２５３の機械的強度を高めることができる。したがって、螺合孔１５４に所定の接続部材を螺合させる際に、接続部２５３が破損するのを抑制することができる。
【０１５２】
以上のように、本実施の形態の変形例に係るＬＥＤランプでは、接続部２５３は、底部２５２から内方に向かって突出した筒体である。
【０１５３】
これにより、接続部２５３の厚みを大きくすることができるので、接続部２５３の機械的強度を高めることができる。したがって、螺合孔１５４に所定の接続部材を螺合させる際に、接続部２５３が破損するのを抑制することができる。また、接続部２５３が内方に突出しているので、外方に突出している場合に比べてＬＥＤランプを小型化することができる。
【０１５４】
（実施の形態２）
本発明の実施の形態２に係る照明装置は、上述の照明用光源を備える照明装置である。例えば、実施の形態２に係る照明装置は、実施の形態１に係るＬＥＤランプ１００を備える。
【０１５５】
まず、本実施の形態に係る照明装置の構成の一例について、図１０〜図１２を用いて説明する。図１０は、本発明の実施の形態２に係る照明装置の一例を示す概観斜視図である。図１１は、本発明の実施の形態２に係る照明装置の一部を示す分解斜視図である。図１２は、本発明の実施の形態２に係る照明装置におけるＬＥＤランプの照射方向の一例を示す概観斜視図である。
【０１５６】
図１０及び図１１に示すように、実施の形態２に係る照明装置３００は、ＬＥＤランプ１００と、接続部材３１０と、本体部３２０とを備える。ここでは、照明装置３００が、複数のＬＥＤランプ１００と、複数の接続部材３１０とを備える例について示すが、照明装置３００は、１つのＬＥＤランプ１００と、１つの接続部材３１０とを備えてもよい。以下では、一例として、２つのＬＥＤランプ１００と、２つの接続部材３１０とを備える例について説明する。
【０１５７】
ＬＥＤランプ１００は、照明装置３００の光源部の一例である。ＬＥＤランプ１００は、実施の形態１又はその変形例と同じであるので、以下では説明を省略する。
【０１５８】
接続部材３１０は、本体部３２０とＬＥＤランプ１００とを機械的に接続する。接続部材３１０の形状は、本体部３２０との接続部分を支点として、ＬＥＤランプ１００の位置及び向きが変更可能になるように、変形可能である。すなわち、接続部材３１０は、フレキシブルな材料及び形状から構成される。接続部材３１０は、例えば、樹脂材料、又は、アルミニウムなどの金属材料などから構成される。接続部材３１０の詳細については、後で説明する。
【０１５９】
本体部３２０は、ＬＥＤランプ１００に電力を供給するための電源を有する。例えば、本体部３２０は、電源（バッテリー）と、ＬＥＤランプ１００のＬＥＤモジュール１１０を発光させるための駆動回路とを収納する。駆動回路とＬＥＤモジュール１１０とは、図１１に示すケーブル３３０によって電気的に接続されている。これにより、ＬＥＤランプ１００には、駆動回路を備える必要がなくなるので、ＬＥＤランプ１００を小型化することができる。
【０１６０】
本体部３２０は、例えば、開口を有する筒体と、筒体の開口を覆うサイドカバーとから構成される。例えば、筒体と、サイドカバーとはネジ止めされている。サイドカバーを筒体から取り外すことで、電源及び駆動回路の収納及び取り出しを行うことができる。なお、持ち運びを容易にするために、本体部３２０にハンドル（把手）などを設けてもよい。
【０１６１】
本体部３２０の筒体は、例えば、アルミニウムなどの金属材料などから構成される。例えば、本体部３２０の筒体は、引抜加工若しくは押出加工、又は、プレス加工及び溶接などによって作製される。なお、本体部３２０の筒体は、アクリロニトリル、ブタジエン及びスチレンの共重合合成樹脂（ＡＢＳ樹脂）などの樹脂材料から構成されてもよい。例えば、本体部３２０の筒体は、ＡＢＳ樹脂を用いた一体成形により作製されてもよい。
【０１６２】
また、本体部３２０のサイドカバーは、例えば、プラスチックなどの樹脂材料から構成される。例えば、本体部３２０のサイドカバーは、樹脂材料を用いた一体成形により作製される。あるいは、本体部３２０のサイドカバーは、例えば、アルミニウムなどの金属材料などから構成されてもよい。
【０１６３】
なお、本実施の形態に係るＬＥＤランプ１００の筐体１５０としては、ねじ込み形のエジソンタイプ（Ｅ型）の口金を有する筐体ではなく、螺合孔１５４を有する筐体を用いている。Ｅ型の口金を有する筐体を利用した場合には、光源部を適宜交換することができるというメリットはあるものの、近年、長寿命なＬＥＤ電球が普及しつつあり、光源部を交換可能にする必要性は少なくなっている。
【０１６４】
一方で、光源部を交換可能にすることで、接続部材３１０の端部には受金（ソケット）などのＥ型に適用する部材が必要となる。これにより、部品点数が増加し、装置の大型化、及び、高コスト化などが問題となる。
【０１６５】
これに対して、本実施の形態に係る照明装置３００では、受金（ソケット）などは必要としないので、部品点数を削減することができ、簡易な構成で実現することができるので、低コスト化を図ることができる。
【０１６６】
［接続部材］
続いて、接続部材３１０の詳細について、図１１を用いて説明する。
【０１６７】
図１１に示すように、接続部材３１０は、アーム部３１１と、螺合部３１２及び３１３とを備える。また、接続部材３１０には、ケーブル３３０が挿通されている。
【０１６８】
アーム部３１１は、ＬＥＤランプ１００を所定の位置及び方向に変更し、かつ、固定することができるアーム状の部材である。例えば、図１１に示すように、アーム部３１１は、可動性のあるフレキシブルパイプであり、具体的には、グースネック（ｇｏｏｓｅｎｅｃｋ）構造である。具体的には、アーム部３１１に力を加えることで、ＬＥＤランプ１００の位置及び方向を任意に変更するように、アーム部３１１（接続部材３１０）の形状を変化させることができる。そして、アーム部３１１に力を加えるのを止めた場合には、アーム部３１１（接続部材３１０）の形状は固定され、ＬＥＤランプ１００の位置及び方向を固定することができる。
【０１６９】
螺合部３１２は、アーム部３１１の一方の端部の外周面に設けられる。具体的には、螺合部３１２は、ＬＥＤランプ１００との接続部であり、筐体１５０の螺合孔１５４に螺合される。螺合部３１２が螺合孔１５４に螺合されることで、接続部材３１０は、ＬＥＤランプ１００に接続される。
【０１７０】
例えば、螺合部３１２としては、Ｍ１０などのネジ形状を利用することができる。あるいは、Ｍ８又はＭ１２などのネジ形状を利用してもよい。
【０１７１】
螺合部３１３は、アーム部３１１の他方の端部の外周面に設けられる。具体的には、螺合部３１３は、本体部３２０との接続部である。具体的には、螺合部３１３が、本体部３２０の貫通孔を介して、本体部３２０に設けられた螺合部材（例えば、ナット）に螺合されることで、接続部材３１０は、本体部３２０に接続される。
【０１７２】
例えば、螺合部３１３としては、Ｍ１０などのネジ形状を利用することができる。あるいは、Ｍ８又はＭ１２などのネジ形状を利用してもよい。
【０１７３】
図１１に示すように、接続部材３１０は、パイプ形状であり、内部にケーブル３３０が挿通されている。ケーブル３３０は、本体部３２０に内蔵された電源からＬＥＤランプ１００へ電力を供給するためのケーブルである。ケーブル３３０の端部はそれぞれ、ＬＥＤランプ１００のＬＥＤモジュール１１０と、本体部３２０の電源とに電気的に接続される。
【０１７４】
このように、ＬＥＤモジュール１１０に電力を供給するためのケーブル３３０が接続部材３１０内に挿通されているので、ケーブル３３０の絶縁性及び保全性を向上させることができる。つまり、ケーブル３３０は、照明装置３００の外部に露出していないので、人が誤って触れることなどがなく、感電を防止することができる。また、ケーブル３３０が露出していないので、見栄えを向上させることもできる。
【０１７５】
［まとめ］
以上のように、本実施の形態に係る照明装置３００は、実施の形態１に示すＬＥＤランプ１００（光源部）と、ＬＥＤランプ１００に電力を供給するための電源を有する本体部３２０と、本体部３２０とＬＥＤランプ１００とを機械的に接続する接続部材３１０とを備え、接続部材３１０の形状は、本体部３２０との接続部分を支点としてＬＥＤランプ１００の位置及び向きを変更可能になるように、変形可能である。
【０１７６】
このように、ＬＥＤランプ１００と本体部３２０とを接続する接続部材３１０が、その形状を変化させることが可能である。このため、所望の位置及び所望の方向にＬＥＤランプ１００を変更することができる。
【０１７７】
例えば、図１２の（ａ）に示すように照明装置３００の前方を照らしているＬＥＤランプ１００又は接続部材３１０に力を加えることで、図１２の（ｂ）に示すように、ＬＥＤランプ１００の照射方向を上方向及び右方向に変更することができる。あるいは、図１２の（ｃ）に示すように、ＬＥＤランプ１００の照射方向を後方及び斜め下方向に変更することができる。
【０１７８】
このようにＬＥＤランプ１００又は接続部材３１０に力を加えることで、ＬＥＤランプ１００の照射方向を所望の方向に変更することができる。具体的には、照明装置３００は、前方、後方、右方向、左方向、上方向、下方向、又は、斜め方向などの所望の方向を照射することができる。なお、照明装置３００は、２つのＬＥＤランプ１００を備えるので、異なる方向を同時に照射することができる。
【０１７９】
また、ＬＥＤランプ１００又は接続部材３１０に力を加えることで、図１２の（ｄ）に示すように、ＬＥＤランプ１００の照射位置を変更することができる。つまり、本実施の形態に係る照明装置３００によれば、所望の位置を照射することができる。なお、本実施の形態に係る照明装置３００は、２つのＬＥＤランプ１００を備えるので、異なる位置を同時に照射することができる。
【０１８０】
このように、本実施の形態に係る照明装置３００は、ＬＥＤランプ１００の照射位置及び照射方向を自在に変更することができ、ユーザの利便性を向上させることができる。また、本体部３２０に電源を内蔵しているので、例えば、停電時など系統電力からの電力を利用できない場合にも照明装置として利用することができる。したがって、本実施の形態に係る照明装置３００は、非常用ランプとして有用である。
【０１８１】
また、接続部材３１０は、グースネック構造である。
【０１８２】
これにより、ＬＥＤランプ１００を所望の位置及び所望の方向に容易に変更することができる。
【０１８３】
また、接続部材３１０は、パイプ形状であり、内部に電源からＬＥＤランプ１００へ電力を供給するためのケーブル３３０が挿通されている。
【０１８４】
これにより、パイプ形状である接続部材３１０内をケーブル３３０が挿通するので、ケーブル３３０は外部に露出していない。このため、ケーブル３３０の絶縁性及び保全性を向上させることができる。
【０１８５】
また、照明装置３００は、複数のＬＥＤランプ１００と、複数の接続部材３１０とを備える。
【０１８６】
これにより、複数のＬＥＤランプ１００を備えるので、複数のＬＥＤランプ１００のそれぞれが異なる方向及び位置を照射することができる。したがって、必要に応じて同時に様々な方向及び位置を照らすことができる。特に、非常時などにおいては、複数箇所を同時に照射することができるので、ユーザの利便性をより向上させることができる。
【０１８７】
なお、接続部材３１０は、グースネック構造である例について示したが、これに限らない。接続部材３１０は、光源部（ＬＥＤランプ１００）の位置及び方向を変更し、かつ、固定することができれば、いかなる形状及び材料で構成されていてもよい。
【０１８８】
（その他変形例など）
以上、本発明に係る照明用光源及び照明装置について、上記実施の形態に基づいて説明したが、本発明は、上記の実施の形態に限定されるものではない。
【０１８９】
例えば、上記の実施の形態では、筐体１５０が螺合孔１５４を有する接続部１５３を備える例について示したが、これに限らない。例えば、筐体１５０は、ねじ込み形のエジソンタイプ（Ｅ型）の口金を有する筐体であってもよい。すなわち、上記の実施の形態における筐体１５０として、電球形ランプの口金を有する筐体を用いることもできる。具体的には、筐体１５０として、Ｅ１２、Ｅ１７若しくはＥ２７、又は、ＭＲ１６などの口金を有する筐体を用いることができる。
【０１９０】
これにより、ＬＥＤランプ１００は、様々な受金（ソケット）に装着可能になる。したがって、ＬＥＤランプ１００は、非常用ランプとしてだけではなく、日常的に用いる照明用ランプとしても利用することができる。上述したように、Ｅ型の口金を有する筐体を利用することで、部品点数が増加してしまうものの、非常に汎用性の高い照明用光源として利用することもできる。
【０１９１】
また、上記の実施の形態において、筐体１５０の接続部１５３は、螺合孔１５４ではなく、外面にネジ形状を形成してもよい。この場合、例えば、パイプ形状の接続部材３１０の端部の内面にネジ形状を形成すればよい。
【０１９２】
また、上記の実施の形態において、導光部材１２０の板状部１２２が段差部１２６を有する例について示したが、これに限らない。言い換えると、導光部材１２０の板状部１２２は、径小部１２５ｂを有さずに、径大部１２５ａを有していてもよい。なお、この場合、フロントカバー１３０のフランジ部１３５と、板状部１２２の第２主面１２４との間に段差が生じる。すなわち、フロントカバー１３０の上側端面と第２主面１２４とは、面一にならない。
【０１９３】
また、上記の実施の形態において、突起部１３４は導光部材１２０の第１主面１２３に当接する例について示したが、これに限らない。例えば、突起部１３４は、導光部材１２０の側周部１２５に係止してもよい。具体的には、側周部１２５に、穴部である係止部を設ければよい。穴部である係止部に突起部１３４が挿入されることで、突起部１３４は、係止部を係止する。これにより、フロントカバー１３０は、導光部材１２０を保持することができる。
【０１９４】
また、上記の実施の形態において、突起部１３４とフランジ部１３５とが導光部材１２０を挟持する例について示したが、これに限らない。例えば、導光部材１２０の側周部１２５が、フロントカバー１３０の筒体部１３１ａの内面に当接してもよい。この場合、側周部１２５は、第１主面１２３及び第２主面１２４に直交する面ではなく、筒体部１３１ａと同じ傾斜を有する傾斜面を有する。これにより、筒体部１３１ａの内面（傾斜面）と、突起部１３４とによって導光部材１２０を挟持することができる。
【０１９５】
また、上記の実施の形態において、突起部１３４は、フロントカバー１３０の内面に沿って環形状の突起部でもよい。すなわち、突起部１３４は、第１開口部１３１ｂの開口面に沿った平面を有する円環形状の突起部でもよい。これにより、１つの突起部の場合でも導光部材１２０を強固に固定することができる。
【０１９６】
また、上記の実施の形態において。フロントカバー１３０は、円錐台状の筒体である例について示したが、これに限らない。例えば、フロントカバー１３０は、内径及び外径が一定の略円筒でもよい。
【０１９７】
また、上記の実施の形態において、ＬＥＤランプ１００の平面視形状が略円形である例について示したが、これに限らない。例えば、ＬＥＤランプ１００の平面視形状は、略矩形でもよい。例えば、ＬＥＤモジュール１１０、導光部材１２０、フロントカバー１３０、支持台１４０及び筐体１５０の平面視形状が、略矩形でもよい。
【０１９８】
また、上記の実施の形態において、さらに、導光部材１２０の第２主面１２４がランプ外部に露出している例について示したが、これに限らない。例えば、第２主面１２４をグローブなどの透光性材料で覆ってもよい。
【０１９９】
また、上記の実施の形態において、フロントカバー１３０と筐体１５０とを係止部１３７及び係止部１５５によって固定したが、これに限らない。例えば、フロントカバー１３０及び筐体１５０は、シリコーン樹脂又はセメントなどの接着剤によって固定してもよい。
【０２００】
また、上記の実施の形態において、ＬＥＤモジュール１１０が、パッケージ化されたＬＥＤ素子を用いたＳＭＤ型のＬＥＤモジュールである場合について説明したが、これに限らない。ＬＥＤモジュール１１０は、基板上に複数のＬＥＤチップが直接実装され、複数のＬＥＤチップを蛍光体含有樹脂によって一括封止した構成であるＣＯＢ（Ｃｈｉｐ  Ｏｎ  Ｂｏａｒｄ）型のＬＥＤモジュールでもよい。
【０２０１】
また、支持台１４０に戴置される基板（ＬＥＤモジュール１１０）は、２枚以上並べてもよい。この場合、接続端子を介してリード線などによってそれぞれの基板に設けられた金属配線を接続すればよい。
【０２０２】
また、上記の実施の形態において、ＬＥＤモジュール１１０は、青色ＬＥＤチップと黄色蛍光体とによって白色光を放出するように構成したが、これに限らない。例えば、演色性を高めるために、黄色蛍光体に加えて、さらに、赤色蛍光体及び緑色蛍光体を混ぜてもよい。また、黄色蛍光体を用いずに、赤色蛍光体及び緑色蛍光体を含有する蛍光体含有樹脂を用いて、青色ＬＥＤチップと組み合わせることにより白色光を放出するようにしてもよい。
【０２０３】
また、上記の実施の形態において、ＬＥＤチップは、青色以外の色を発光するＬＥＤチップを用いてもよい。例えば、紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【０２０４】
また、上記の実施の形態において、発光素子としてＬＥＤを例示したが、半導体レーザなどの半導体発光素子、有機ＥＬ（Ｅｌｅｃｔｒｏ  Ｌｕｍｉｎｅｓｃｅｎｃｅ）又は無機ＥＬなどの発光素子を用いてもよい。
【０２０５】
また、上記の実施の形態において、ＬＥＤモジュール１１０は、白色光を放出するように構成したが、これに限らない。例えば、ＬＥＤモジュール１１０は、赤色又は青色などのカラー光を放出する用に構成してもよい。このようなカラー光源であるＬＥＤモジュールを用いることによって、照明演出効果を向上させることができる。
【０２０６】
また、上記の実施の形態において、ＬＥＤランプ１００は、ハロゲン電球に代替するハロゲン電球形のＬＥＤランプである例について示したが、これに限らない。ＬＥＤランプ１００は、ハロゲン電球以外のランプにも適用することができる。
【０２０７】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０２０８】
１００  ＬＥＤランプ
１１０  ＬＥＤモジュール
１１１  基台
１１２  ＬＥＤ素子
１２０  導光部材
１２１  導光部
１２１ａ  凹部
１２２  板状部
１２３  第１主面
１２４  第２主面
１２５  側周部
１２５ａ  径大部
１２５ｂ  径小部
１２６  段差部
１２６ａ  当接面
１２７  第１平面
１３０  フロントカバー
１３１  カバー本体部
１３１ａ  筒体部
１３１ｂ  第１開口部
１３１ｃ  第２開口部
１３２  第１開口
１３３  第２開口
１３４、１５６  突起部
１３４ａ  支持面
１３４ｂ  傾斜面
１３５  フランジ部
１３５ａ  第１フランジ面
１３５ｂ  第２フランジ面
１３６  第２平面
１３７、１５５  係止部
１４０  支持台
１４１  平板部
１４２、１５１  側壁部
１５０、２５０  筐体
１５１ａ  第１側壁部
１５１ｂ  第２側壁部
１５２、２５２  底部
１５３、２５３  接続部
１５４  螺合孔
３００  照明装置
３１０  接続部材
３１１  アーム部
３１２、３１３  螺合部
３２０  本体部
３３０  ケーブル
【図１】
2015090784.tif 000003
【図２】
2015090784.tif 000004
【図３】
2015090784.tif 000005
【図４Ａ】
2015090784.tif 000006
【図４Ｂ】
2015090784.tif 000007
【図４Ｃ】
2015090784.tif 000008
【図５Ａ】
2015090784.tif 000009
【図５Ｂ】
2015090784.tif 000010
【図６Ａ】
2015090784.tif 000011
【図６Ｂ】
2015090784.tif 000012
【図７】
2015090784.tif 000013
【図８】
2015090784.tif 000014
【図９Ａ】
2015090784.tif 000015
【図９Ｂ】
2015090784.tif 000016
【図１０】
2015090784.tif 000017
【図１１】
2015090784.tif 000018
【図１２】
2015090784.tif 000019